(57)【要約】【課題】風車翼内部の検査を安全に行う。【解決手段】風車翼内部の検査方法は、支持フレーム、該支持フレームに回動自在に配置された少なくとも一つの車輪、及び支持フレームにおける進行方向の前部に取り付けられた検査機器を含む検査ユニットを風車翼の内部に入れるステップと、風車翼の翼根部側から翼先端部側に向けて検査ユニットを搬送する搬送ステップと、を備える。搬送ステップでは、検査ユニットの後端部に少なくとも一本の延長棒を接続し、延長棒を翼先端部側に押し出すことで検査ユニットを送り出す。【選択図】図３
2019173680.tif 000002
【特許請求の範囲】
【請求項１】
風車翼内部の検査方法であって、
支持フレーム、前記支持フレームに回動自在に配置された少なくとも一つの車輪、及び前記支持フレームにおける進行方向の前部に取り付けられた検査機器を含む検査ユニットを前記風車翼の内部に入れるステップと、
前記風車翼の翼根部側から翼先端部側に向けて前記検査ユニットを搬送する搬送ステップと、を備え、
前記搬送ステップでは、
前記検査ユニットの後端部に少なくとも一本の延長棒を接続し、前記延長棒を前記翼先端部側に押し出すことで前記検査ユニットを送り出す
ことを特徴とする風車翼内部の検査方法。
【請求項２】
風車に取り付けられた風車翼のアジマス角を水平方向±３０°以内の状態に保持するステップを備え、
前記検査ユニットを前記風車翼の内部に入れるステップ及び前記搬送ステップは、風車に取り付けられ、アジマス角が前記保持ステップの状態で保持された風車翼に対して行われる
ことを特徴とする請求項１に記載の風車翼内部の検査方法。
【請求項３】
前記搬送ステップでは、送り出した前記検査ユニット又は最後部の前記延長棒の後端部に前記延長棒の前端部を連結する
ことを特徴とする請求項１又は２の何れか一項に記載の風車翼内部の検査方法。
【請求項４】
前記延長棒は長手方向に伸縮自在に構成され、
前記搬送ステップでは、前記延長棒を前記長手方向に伸長する
ことを特徴とする請求項１〜３の何れか一項に記載の風車翼内部の検査方法。
【請求項５】
前記風車翼が取り付けられるハブの内部に前記検査ユニットを運び込むステップと、
前記ハブの内部から前記風車翼の内部に前記検査ユニットを送り込むステップと、を更に含む
ことを特徴とする請求項１〜４の何れか一項に記載の風車翼内部の検査方法。
【請求項６】
各々の前記延長棒は、最短状態における長手方向の長さが３ｍ以下又は前記翼根部の直径の２倍以下の長さに形成される
ことを特徴とする請求項１〜５の何れか一項に記載の風車翼内部の検査方法。
【請求項７】
前記検査機器は、前記風車翼の内部を撮像可能な撮像装置を含む
ことを特徴とする請求項１〜６の何れか一項に記載の風車翼内部の検査方法。
【請求項８】
前記検査機器は、前記進行方向の少なくとも前方を照射可能な照明装置を含む
ことを特徴とする請求項１〜７の何れか一項に記載の風車翼内部の検査方法。
【請求項９】
前記検査ユニットは、前記検査機器による検査結果を表示する表示部を更に備え、
前記検査結果を前記表示部に表示する表示ステップを更に備える
ことを特徴とする請求項１〜８の何れか一項に記載の風車翼内部の検査方法。
【請求項１０】
前記延長棒には、各々の前記延長棒の後端部から前記検査ユニットの先端までの距離を示す目盛り、又は前記検査ユニットを起点とした各々の前記延長棒の連結数を示す指標が付されており、
前記搬送ステップでは、前記目盛り又は前記指標を確認しながら前記検査ユニットを搬送する
ことを特徴とする請求項１〜９の何れか一項に記載の風車翼内部の検査方法。
【請求項１１】
前記検査ユニットの前端部に配置された器具を用いて検査に伴う軽作業を行うステップをさらに備える
ことを特徴とする請求項１〜１０の何れか一項に記載の風車翼内部の検査方法。
【請求項１２】
進行方向に長尺な支持フレーム、前記支持フレームの前後部にそれぞれ回動自在に配置された車輪、及び前記支持フレームにおける前記進行方向の前部に取り付けられた検査機器を含む検査ユニットと、
前記検査ユニットの後端部に接続される延長棒を含む少なくとも一の延長ユニットと、
を備えた風車翼の検査装置。
【請求項１３】
前記検査装置は、前記検査機器の周囲に配置され、高さ方向及び幅方向の少なくとも一方を含む周囲との接触を検知するセンサを含む
ことを特徴とする請求項１２に記載の風車翼の検査装置。
【請求項１４】
前記検査ユニットは、前記センサの検知結果を報知する報知部を更に含む
ことを特徴とする請求項１３に記載の風車翼の検査装置。
【発明の詳細な説明】
【技術分野】
【０００１】
本開示は、風車翼内部の検査方法及び風車翼の検査装置に関する。
【背景技術】
【０００２】
従来、風力発電設備（以下、風車ともいう）の風車翼内部を検査するための検査方法や検査装置が知られている。例えば、特許文献１には、検査対象の風車翼を下方すなわちアジマス角１８０°に配置し、ハブから風車翼の内部にケーブルを垂下させ、該ケーブルに取り付けたカメラ又はセンサで風車翼内部を検査する方法が開示されている。
【先行技術文献】
【特許文献】
【０００３】
【特許文献１】米国特許出願公開第２０１３／０３００８５５号明細書
【発明の概要】
【発明が解決しようとする課題】
【０００４】
しかし、上記特許文献１に開示された検査方法では、下方に配置した風車翼の翼根側すなわち上方側から風車翼の内部を検査するため、風車翼内部への作業員や物の落下の危険性が必ずしもないといえない。また、これを回避するために風車翼を例えば水平に配置した場合はケーブルにとりつけた状態のカメラやセンサを翼先端側まで搬送することが困難であるという問題があった。
【０００５】
本開示の少なくとも幾つかの実施形態は、風車翼内部の検査を安全に行うことを目的とする。
【課題を解決するための手段】
【０００６】
（１）本開示の少なくとも一実施形態に係る風車翼内部の検査方法は、
風車翼の検査方法であって、
支持フレーム、前記支持フレームに回動自在に配置された少なくとも一つの車輪、及び前記支持フレームにおける進行方向の前部に取り付けられた検査機器を含む検査ユニットを前記風車翼の内部に入れるステップと、
前記風車翼の翼根部側から翼先端部側に向けて前記検査ユニットを搬送する搬送ステップと、を備え、
前記搬送ステップでは、
前記検査ユニットの後端部に少なくとも一本の延長棒を接続し、前記延長棒を前記翼先端部側に押し出すことで前記検査ユニットを送り出す。
【０００７】
上記（１）の方法によれば、風車翼の内部に検査ユニットを入れ、該検査ユニットの後端部に延長棒を接続して当該延長棒を翼先端部側に押し出すことで、車輪を有する検査ユニットが翼先端部側に送り出される。その際、翼長に応じて延長棒を追加的に接続することで翼先端部側まで検査ユニットを搬送することができる。従って、例えば地上、洋上又は風車に取り付けられた状態で水平又はほぼ水平の状態に配置された風車翼の内部において、作業員が入り込めない翼先端部側まで検査ユニットを搬送することができる。よって、例えば風車翼内部への作業員や物の落下のような危険を回避して、風車翼内部の検査を安全に行うことができる。
【０００８】
（２）幾つかの実施形態では、上記（１）に記載の方法において、
風車に取り付けられた風車翼のアジマス角を水平方向±３０°以内の状態に保持するステップを備え、
前記検査ユニットを前記風車翼の内部に入れるステップ及び前記搬送ステップは、風車に取り付けられ、アジマス角が前記保持ステップの状態で保持された風車翼に対して行われてもよい。
【０００９】
上記（２）の方法によれば、風車翼は風車に取り付けられた状態でアジマス角が水平方向±３０°以内すなわち９０°±３０°又は２７０°±３０°に保持される。つまり、風車に取り付けられ、作業員が概ね安全に移動可能な角度に保持された状態の風車翼の内部を検査することができるから、検査のために風車翼を取り外す必要がなく、検査に関するコストの低減と工期の短縮化を図ることができる。
【００１０】
（３）幾つかの実施形態では、上記（１）又は（２）の何れか１つに記載の方法において、
前記搬送ステップでは、送り出した前記検査ユニット又は最後部の前記延長棒の後端部に前記延長棒の前端部を連結してもよい。
【００１１】
上記（３）の方法によれば、先頭すなわち翼先端部側に検査ユニットが配置され、該検査ユニットの後端部すなわち翼根部側に延長棒が連結され、追加で連結された延長棒のうち最後部の延長棒の後端部に新たな延長棒の前端部が連結されることで検査ユニットが翼先端部側に搬送される。このように延長棒を継ぎ足すことにより、簡易な構成で上記（１）又は（２）の何れか１つで述べた効果を享受することができる。
【００１２】
（４）幾つかの実施形態では、上記（１）〜（３）の何れか１つに記載の方法において、
前記延長棒は長手方向に伸縮自在に構成され、
前記搬送ステップでは、前記延長棒を前記長手方向に伸長してもよい。
【００１３】
上記（４）の方法によれば、伸縮自在な延長棒を採用することにより、例えば風車翼内部の検査に際して延長棒を運搬する際、延長棒を収縮した状態とすることで運搬し易くすることができるから、一度の運搬でより多くの延長棒を搬入することができる。一方、検査ユニットを送り出す際に延長棒を伸長させて連結することにより、必要とされる延長棒の数を低減することができる。さらに、翼根部近傍のスペースが限られた状態で検査する場合にも、伸縮しない延長棒に比べて少ない数の延長棒を容易に運び込むことができるから、作業性の向上が図られる。
【００１４】
（５）幾つかの実施形態では、上記（１）〜（４）の何れか１つに記載の方法において、
前記風車翼が取り付けられるハブの内部に前記検査ユニットを運び込むステップと、
前記ハブの内部から前記風車翼の内部に前記検査ユニットを送り込むステップと、を更に含んでもよい。
【００１５】
上記（５）の方法によれば、風車のハブに取り付けられた状態の風車翼の内部を検査する際、翼根部側であるハブの内部に検査ユニットが運び込まれ、ハブの内部から風車翼の内部に検査ユニットが送り込まれる。このように、風車に取り付けられた状態の風車翼内部の検査に際し、ハブ内の限られたスペースでの作業において上記（１）〜（４）の何れか一つで述べた効果を享受することができる。
【００１６】
（６）幾つかの実施形態では、上記（１）〜（５）の何れか１つに記載の方法において、
各々の前記延長棒は、最短状態における長手方向の長さが３ｍ以下又は前記翼根部の直径の２倍以下の長さに形成されてもよい。
【００１７】
上記（６）の方法によれば、各々の延長棒は、最短状態における長手方向の長さが３ｍ以下又は翼根部の直径の２倍以下の長さに形成されるから、検査対象である風車翼の翼長によらず、搬送し易い長さの延長棒を用いて検査することができる。また、例えば風車に取り付けられた状態の風車翼の内部を検査する場合に、延長棒を一度ハブの内部に運び込む必要が生じても、円滑に運び込むことができる。
【００１８】
（７）幾つかの実施形態では、上記（１）〜（６）の何れか１つに記載の方法において、
前記検査機器は、前記風車翼の内部を撮像可能な撮像装置を含んでもよい。
【００１９】
上記（７）の方法によれば、検査機器としての撮像装置により、風車翼の内部を撮像することができる。よって、風車翼内部の視覚的な情報を得ることができるから、検査精度の向上が図られる。なお、撮像装置として、例えばファイバースコープ等よりも視野角の広い撮像装置等を採用することにより、より鮮明な画像を得ることができるから、検査精度のさらなる向上を図ることができる。
【００２０】
（８）幾つかの実施形態では、上記（１）〜（７）の何れか１つに記載の方法において、
前記検査機器は、前記進行方向の少なくとも前方を照射可能な照明装置を含んでもよい。
【００２１】
上記（８）の方法によれば、検査機器としての照明装置により、進行方向の少なくとも前方を照射することができる。これにより、例えば作業員が目視で認識できる範囲にあっては作業員の目視による検査の作業性及び検査精度の向上が図られる。また、例えば検査装置として撮像装置等と併用した場合には撮像装置によってより鮮明な画像を得ることができるから、検査精度の向上を図ることができる。
【００２２】
（９）幾つかの実施形態では、上記（１）〜（８）の何れか１つに記載の方法において、
前記検査ユニットは、前記検査機器による検査結果を表示する表示部を更に備え、
前記検査結果を前記表示部に表示する表示ステップを更に備えていてもよい。
【００２３】
上記（９）の方法によれば、検査機器による検査結果が表示部に表示される。つまり、作業現場において作業員が検査結果をリアルタイムに把握することができるから、風車翼内部の検査の作業性及び検査精度の向上を図ることができる。
【００２４】
（１０）幾つかの実施形態では、上記（１）〜（９）の何れか１つに記載の方法において、
前記延長棒には、各々の前記延長棒の後端部から前記検査ユニットの先端までの距離を示す目盛り、又は前記検査ユニットを起点とした各前記延長ユニットの連結数を示す指標が付されており、
前記搬送ステップでは、前記目盛り又は前記指標を確認しながら前記検査ユニットを搬送してもよい。
【００２５】
上記（１０）の方法によれば、延長棒に付された目盛り又は指標を確認しながら検査ユニットを翼先端部側に搬送することができる。これにより、例えば風車翼内部で異常が確認された部分の翼長方向又は翼全体における位置を作業員が容易に把握することができるから、検査の作業性の向上を図ることができるとともに、例えば風車翼の補修等について適切な対応をとるための判断材料を得ることができる。
【００２６】
（１１）幾つかの実施形態では、上記（１）〜（１０）の何れか１つに記載の方法において、
前記検査ユニットの最前部に配置された器具を用いて検査に伴う軽作業を行うステップをさらに備えていてもよい。
【００２７】
上記（１１）の方法によれば、検査ユニットの最前部に配置された器具により、検査に伴う軽作業を行うことができる。軽作業は、例えば、検査範囲の障害物除去、薬剤噴霧、光・音照射、部材の切削又は貼り付けなどであってもよい。このような構成により、検査における作業の自由度の向上が図られる。
【００２８】
（１２）本開示の少なくとも一実施形態に係る風車翼の検査装置は、
進行方向に長尺な支持フレーム、前記支持フレームの前後部にそれぞれ回動自在に配置された車輪、及び前記支持フレームにおける前記進行方向の前部に取り付けられた検査機器を含む検査ユニットと、
前記検査ユニットの後端部に接続される延長棒を含む少なくとも一の延長ユニットと、
を備えている。
【００２９】
上記（１２）の構成によれば、上記（１）で述べたように、風車翼の内部に検査ユニットを入れ、該検査ユニットの後端部に延長棒を接続して当該延長棒を含む延長ユニットを翼先端部側に押し出すことで、車輪を有する検査ユニットが翼先端部側に送り出される。その際、翼長に応じて延長棒を追加的に接続することで翼先端部側まで検査ユニットを搬送することができる。従って、例えば地上、洋上又は風車に取り付けられた状態で水平又はほぼ水平の状態に配置された風車翼の内部において、作業員が入り込めない翼先端部側まで検査ユニットを搬送することができる。よって、例えば風車翼内部への作業員や物の落下のような危険を回避して、風車翼内部の検査を安全に行うことができる。
【００３０】
（１３）幾つかの実施形態では、上記（１２）に記載の構成において、
前記検査装置は、前記検査機器の周囲に配置され、高さ方向及び幅方向の少なくとも一方を含む周囲との接触を検知するセンサを含んでもよい。
【００３１】
上記（１３）の構成によれば、センサにより、検査ユニットが高さ方向及び幅方向の少なくとも一方において周囲と接触したか否かを検知することができる。つまり、例えば、風車翼内部において、検査ユニットが風車翼の内面や風車翼の構造体、又は異物等と接触したことを検知することができる。
【００３２】
（１４）幾つかの実施形態では、上記（１３）に記載の構成において、
前記検査装置は、前記センサの検知結果を報知する報知部を更に含んでいてもよい。
【００３３】
上記（１４）の構成によれば、センサの検知結果が報知部によって報知される。これにより、検査機器が周囲と接触したことを作業員が把握したり記録したりすることができる。そして、この報知部の報知に基づき、例えば、検査ユニットの進路を修正したり、検査ユニットが翼先端部の近傍に到達したことを把握して検査を終了したりする等の対応をとることができる。
【発明の効果】
【００３４】
本開示の少なくとも一実施形態によれば、風車翼内部の検査を安全に行うことができる。
【図面の簡単な説明】
【００３５】
【図１】一実施形態に係る風力発電設備を示す概略図である。
【図２】一実施形態に係る風車翼の全体を示す斜視図である。
【図３】一実施形態に係る風車翼内部の検査方法を示すフローチャートである。
【図４】他の実施形態に係る風車翼内部の検査方法を示すフローチャートである。
【図５】一実施形態における検査ユニットを示す概略図である。
【図６】一実施形態における検査ユニットを示す概略図である。
【図７】他の実施形態における検査ユニットを示す概略図である。
【図８】他の実施形態における検査ユニットを示す概略図である。
【図９】他の実施形態における検査ユニットを示す概略図である。
【図１０】他の実施形態における検査ユニットを示す概略図である。
【発明を実施するための形態】
【００３６】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００３７】
図１は、一実施形態における風車を示す概略図であり、図２は、一実施形態における風車翼の全体を示す斜視図であり、図３は、一実施形態に係る風車翼の補修、補強又は付属部品の取り付け方法を示すフローチャートである。
図１に示すように、本開示の少なくとも幾つかの実施形態における風力発電設備（以下、風車１とする）は、複数（図１に示す例では３枚）の風車翼２及び該風車翼２が取り付けられるハブ３で構成されるロータ４と、ロータ４を図示しない主軸及び主軸受を介して回転自在に支持するナセル５と、ナセル５を水平旋回可能に支持するタワー６と、タワー６が設置されるベース７と、備える。なお、風車翼２は、３枚より多くてもよいし少なくても良い。
【００３８】
図２に示すように、幾つかの実施形態において、風車翼２は、翼根部２Ａから翼先端部２Ｂに亘って長手方向（翼長方向）に延在する翼本体２Ｃを備える。
翼本体２Ｃは、風車１のハブ３に取り付けられる翼根部２Ａと、ハブ３から最も遠くに位置する翼先端部２Ｂと、翼根部２Ａ及び翼先端部２Ｂの間で翼長方向に延在する翼型部２Ｄと、を含む。また、翼本体２Ｃは、翼根部２Ａから翼先端部２Ｂにかけて、前縁８Ａと後縁８Ｂとを有する。そして、翼本体２Ｃの外形は、背面１０（負圧面）と、背面１０に対向する腹面１２（正圧面）とによって形成される。
なお、本明細書において、「翼長方向」とは、翼根部２Ａと翼先端部２Ｂとを結ぶ方向であり、「コード方向（翼コード方向）」とは、翼本体２Ｃの前縁８Ａと後縁８Ｂとを結ぶ線（コード）に沿った方向である。また、「翼根部」とは、風車翼２において断面が概ね円形となる円筒状の部分であり、風車翼２の翼本体２Ｃにおける翼根側の端面を基準として例えば５ｍの翼長方向範囲（典型的には、前記端面から１〜３ｍの範囲）である。
【００３９】
図３に非限定的に例示するように、本開示の少なくとも一実施形態に係る風車翼２内部の検査方法は、風車翼２の検査方法であって、支持フレーム１１、該支持フレーム１１に回動自在に配置された少なくとも一つの車輪１４、及び支持フレーム１１における進行方向の前部に取り付けられた検査機器１５を含む検査ユニット１０を風車翼２の内部に入れるステップ（ステップＳ１０）と、風車翼２の翼根部２Ａ側から翼先端部２Ｂ側に向けて検査ユニットを搬送する搬送ステップ（ステップＳ２０）と、を備えている。
上記車輪１４は、一つの支持フレーム１１につき少なくとも一つ設けられていれば足りる。例えば、上記進行方向において支持フレーム１１の前部、後部又はこれらの間に車輪１４が設けられていてもよい。また、車輪１４が設けられる上記支持フレーム１１の前部、後部又はこれらの間の位置には、それぞれ複数の車輪１４が設けられていてもよい。
支持フレーム１１は、例えば板状、円柱状、角柱状等の形状を有していてもよく、上記進行方向に沿って長尺な棒状の部材であってもよい。
そして、搬送ステップＳ２０では、検査ユニット１０の後端部１３に少なくとも一本の延長棒２１を接続し、延長棒２１を翼先端部２Ｂ側に押し出すことで検査ユニット１０を送り出す。
検査機器１５は、少なくとも検査ユニット１０の最前部、すなわち支持フレーム１１の前端部１２に１つ設けてもよいし、必要に応じて少なくとも一つの延長棒２１に設けてもよい。
検査機器１５による検査内容としては、例えば、撮像装置（カメラ）１５Ａによる撮像のほか、例えば、打音装置（図示略）による打音検査等も含まれ得る。
【００４０】
上記の方法によれば、風車翼２の内部に検査ユニット１０を入れ、該検査ユニット１０の後端部１３に延長棒２１を接続して当該延長棒２１を翼先端部２Ｂ側に押し出すことで、車輪１４を有する検査ユニット１０が翼先端部２Ｂ側に送り出される。その際、翼長に応じて延長棒２１を追加的に接続することで翼先端部２Ｂ側まで検査ユニット１０を搬送することができる。従って、例えば地上、洋上又は風車１に取り付けられた状態で水平又はほぼ水平の状態に配置された風車翼２の内部において、作業員が入り込めない翼先端部２Ｂ側まで検査ユニットを搬送することができる。よって、例えば風車翼２内部への作業員や物の落下のような危険を回避して、風車翼２内部の検査を安全に行うことができる。
なお、風車翼２内部の検査対象としては、例えば、風車翼２内面の構造部材３２、風車翼２の内面に翼長方向Ｌに沿って配置された導電用のダウンコンダクタ３０、又は、風車翼２の内部に混入された異物２７などが含まれ得る。
【００４１】
幾つかの実施形態では、上記の方法において、風車１に取り付けられた風車翼２のアジマス角を水平方向±３０°以内の状態に保持するステップ（ステップＳ１）を備え、検査ユニット１０を風車翼２の内部に入れるステップＳ１０及び搬送ステップＳ２０は、風車１に取り付けられ、アジマス角が保持ステップＳ１の状態で保持された風車翼２に対して行われてもよい（例えば図２及び図４参照）。
【００４２】
上記方法によれば、風車翼２は風車１に取り付けられた状態でアジマス角が水平方向±３０°以内すなわち９０°±３０°又は２７０°±３０°に保持される。つまり、風車１に取り付けられ、作業員が概ね安全に移動可能な角度に保持された状態の風車翼２の内部を検査することができるから、検査のために風車翼２を取り外す必要がなく、検査に関するコストの低減と工期の短縮化を図ることができる。
なお、風車翼２のピッチ角は任意に設定してもよく、例えば、フルフェザー、フルファイン又はこれらの間の状態を含み得る。
【００４３】
幾つかの実施形態では、上記何れかの実施形態に記載の方法において、搬送ステップＳ２０では、送り出した検査ユニット１０又は最後部の延長棒２１の後端部２３に延長棒２１の前端部２２を連結してもよい。
【００４４】
上記方法によれば、先頭すなわち翼先端部２Ｂ側に検査ユニットが配置され、該検査ユニット１０の後端部１３すなわち翼根部２Ａ側に延長棒２１が連結され、追加で連結された延長棒２１のうち最後部の延長棒２１の後端部２３に新たな延長棒２１の前端部２２が連結されることで検査ユニット１０が翼先端部側に搬送される。このように延長棒２１を継ぎ足すことにより、簡易な構成で上記何れかの実施形態で述べた効果を享受することができる。
【００４５】
幾つかの実施形態では、上記何れか１つの実施形態に記載の方法において、延長棒２１は長手方向に伸縮自在に構成され、搬送ステップＳ２０では、延長棒２１を長手方向に伸長してもよい。
【００４６】
上記の方法によれば、伸縮自在な延長棒２１を採用することにより、例えば風車翼２内部の検査に際して延長棒２１を運搬する際、延長棒２１を収縮した状態とすることで運搬し易くすることができるから、一度の運搬でより多くの延長棒２１を搬入することができる。一方、検査ユニット１０を送り出す際に延長棒２１を伸長させて連結することにより、必要とされる延長棒２１の数を低減することができる。さらに、翼根部２Ａ近傍のスペースが限られた状態で検査する場合にも、伸縮しない延長棒２１に比べて少ない数の延長棒２１を容易に運び込むことができるから、作業性の向上が図られる。
【００４７】
幾つかの実施形態では、上記何れかの実施形態に記載の方法において、風車翼２が取り付けられるハブ３の内部に検査ユニット１０を運び込むステップ（ステップＳ２）と、ハブ３の内部から風車翼２の内部に検査ユニット１０を送り込むステップ（ステップＳ３）と、を更に含んでもよい（例えば図４参照）。
本開示の検査には、ハブ３内（翼根部２Ａ入口付近）で作業員が行う作業が含まれ得る。
【００４８】
上記方法によれば、風車１のハブ３に取り付けられた状態の風車翼２の内部を検査する際、翼根部２Ａ側であるハブ３の内部に検査ユニット１０が運び込まれ、ハブ３の内部から風車翼２の内部に検査ユニット１０が送り込まれる。このように、風車１に取り付けられた状態の風車翼２内部の検査に際し、ハブ３内の限られたスペースでの作業において上記何れかの実施形態で述べた効果を享受することができる。
【００４９】
幾つかの実施形態では、上記何れかの実施形態に記載の方法において、各々の延長棒２１は、最短状態における長手方向の長さが３ｍ以下又は翼根部２Ａの直径Ｄの２倍以下の長さに形成されてもよい。
【００５０】
上記方法によれば、各々の延長棒２１は、最短状態における長手方向の長さが３ｍ以下又は翼根部２Ａの直径Ｄの２倍以下の長さに形成されるから、検査対象である風車翼２の翼長によらず、搬送し易い長さの延長棒２１を用いて検査することができる。また、例えば風車１に取り付けられた状態の風車翼２の内部を検査する場合に、延長棒２１を一度ハブ３の内部に運び込む必要が生じても、円滑に運び込むことができる。
【００５１】
幾つかの実施形態では、上記何れかの実施形態に記載の方法において、検査機器１５は、風車翼２の内部を撮像可能な撮像装置１５Ａを含んでもよい。
【００５２】
上記方法によれば、検査機器１５としての撮像装置１５Ａにより、風車翼２の内部を撮像することができる。よって、風車翼２内部の視覚的な情報を得ることができるから、検査精度の向上が図られる。なお、撮像装置として、例えばファイバースコープ等よりも視野角の広い撮像装置等を採用することにより、より鮮明な画像を得ることができるから、検査精度のさらなる向上を図ることができる。
【００５３】
幾つかの実施形態では、上記何れかの実施形態に記載の方法において、検査機器１５は、進行方向の少なくとも前方を照射可能な照明装置１５Ｂを含んでもよい。
【００５４】
上記方法によれば、検査機器１５としての照明装置１５Ｂにより、進行方向の少なくとも前方を照射することができる。これにより、例えば作業員が目視で認識できる範囲にあっては作業員の目視による検査の作業性及び検査精度の向上が図られる。また、例えば検査ユニット１０として撮像装置１５Ａ等と併用した場合には撮像装置１５Ａによってより鮮明な画像を得ることができるから、検査精度の向上を図ることができる。
【００５５】
幾つかの実施形態では、上記何れかの実施形態に記載の方法において、検査ユニット１０は、検査機器１５による検査結果を表示する表示部１５Ｃを更に備え、検査結果を表示部１５Ｃに表示する表示ステップ（ステップＳ３０）を更に備えていてもよい。
【００５６】
上記方法によれば、検査機器１５による検査結果が表示部１５Ｃに表示される。つまり、作業現場において作業員が検査結果をリアルタイムに把握することができるから、風車翼２内部の検査の作業性及び検査精度の向上を図ることができる。
【００５７】
幾つかの実施形態では、上記何れかの実施形態に記載の方法において、延長棒２１には、各々の延長棒２１の後端部２３から検査ユニット１０の先端までの距離を示す目盛り２４、又は検査ユニット１０を起点とした各々の延長棒２１の連結数を示す指標２５が付されており、搬送ステップＳ２０では、目盛り２４又は指標２５を確認しながら検査ユニット１０を搬送してもよい（例えば、図１０参照）。
【００５８】
上記方法によれば、延長棒２１に付された目盛り２４又は指標２５を確認しながら検査ユニット１０を翼先端部２Ｂ側に搬送することができる。これにより、例えば風車翼２内部で異常が確認された部分の翼長方向Ｌ又は風車翼２全体における位置を作業員が容易に把握することができるから、検査の作業性の向上を図ることができるとともに、例えば風車翼２の補修等について適切な対応をとるための判断材料を得ることができる。
【００５９】
幾つかの実施形態では、上記何れかの実施形態に記載の方法において、検査ユニット１０の前端部１２に配置された器具２６を用いて検査に伴う軽作業を行うステップ（ステップＳ４０）をさらに備えていてもよい（例えば図４参照）。
【００６０】
上記方法によれば、検査ユニット１０の前端部１２に配置された器具２６により、検査に伴う軽作業を行うことができる。軽作業は、例えば、検査範囲の障害物除去、薬剤噴霧、光・音照射、部材の切削又は貼り付けなどであってもよい。このような構成により、検査における作業の自由度の向上が図られる。
【００６１】
本開示の少なくとも一実施形態に係る風車翼の検査ユニット１０は、進行方向に長尺な支持フレーム１１、該支持フレーム１１の前後部にそれぞれ回動自在に配置された車輪１４、及び支持フレーム１１における進行方向の前部に取り付けられた検査機器１５を含む検査ユニット１０と、該検査ユニット１０の後端部１３に接続される延長棒２１を含む少なくとも一の延長ユニット２０と、を備えている（例えば図１０参照）。
【００６２】
上記構成によれば、上述したように、風車翼２の内部に検査ユニット１０を入れ、該検査ユニット１０の後端部１３に延長棒２１を接続して当該延長棒２１を含む延長ユニット２０を翼先端部２Ｂ側に押し出すことで、車輪１４を有する検査ユニット１０が翼先端部２Ｂ側に送り出される。その際、翼長に応じて延長棒２１を追加的に接続することで翼先端部２Ｂ側まで検査ユニット１０を搬送することができる。従って、例えば地上、洋上又は風車に取り付けられた状態で水平又はほぼ水平の状態に配置された風車翼２の内部において、作業員が入り込めない翼先端部２Ｂ側まで検査ユニット１０を搬送することができる。よって、例えば風車翼２内部への作業員や物の落下のような危険を回避して、風車翼２内部の検査を安全に行うことができる。
【００６３】
幾つかの実施形態では、上記構成において、検査ユニット１０は、検査機器１５の周囲に配置され、高さ方向及び幅方向の少なくとも一方を含む周囲との接触を検知するセンサ１５Ｄを含んでもよい（例えば図７、図８及び図９参照）。
【００６４】
上記構成によれば、センサ１５Ｄにより、検査ユニット１０が高さ方向及び幅方向の少なくとも一方において周囲と接触したか否かを検知することができる。つまり、例えば、風車翼２内部において、検査ユニット１０が風車翼２の内面や風車翼２の構造体、又は異物等と接触したことを検知することができる。
【００６５】
幾つかの実施形態では、上記構成において、検査ユニット１０は、センサ１５Ｄの検知結果を報知する報知部１７を更に含んでいてもよい（例えば図８及び図９参照）。
【００６６】
上記構成によれば、センサ１５Ｄの検知結果が報知部１７によって報知される。これにより、検査機器１５が周囲と接触したことを作業員が把握したり記録したりすることができる。そして、この報知部１７の報知に基づき、例えば、検査ユニット１０の進路を修正したり、検査ユニット１０が翼先端部２Ｂの近傍に到達したことを把握して検査を終了したりする等の対応をとることができる。
【００６７】
本開示の少なくとも一実施形態によれば、風車翼２内部の検査を安全に行うことができる。
【００６８】
以上、本発明の実施形態について説明したが、本発明は上述した実施形態に限定されることはなく、上述した実施形態に変形を加えた形態や、これらの形態を適宜組み合わせた形態も含む。
【符号の説明】
【００６９】
１  風車
２  風車翼
２Ａ  翼根部
２Ｂ  翼先端部
２Ｃ  翼本体
３  ハブ
４  ロータ
５  ナセル
６  タワー
７  ベース
１０  検査ユニット
１１  支持フレーム
１２  前端部
１３  後端部
１４  車輪
１５  検査機器
１５Ａ  撮像装置
１５Ｂ  照明装置
１５Ｃ  表示部
１５Ｄ  センサ
１６  カバー
１７  報知部
２０  延長ユニット
２１  延長棒
２２  前端部
２３  後端部
２４  目盛り
２５  指標
２６  器具
２７  異物
３０  ダウンコンダクタ
３２  構造部材
Ｄ  翼根部の直径
Ｌ  翼長方向
Ｘ  長手方向
【図１】
2019173680.tif 000003
【図２】
2019173680.tif 000004
【図３】
2019173680.tif 000005
【図４】
2019173680.tif 000006
【図５】
2019173680.tif 000007
【図６】
2019173680.tif 000008
【図７】
2019173680.tif 000009
【図８】
2019173680.tif 000010
【図９】
2019173680.tif 000011
【図１０】
2019173680.tif 000012